(57)【要約】  【課題】  使用実態に即した湯切れ沸き上げ制御を行い、昼間電力の効率的な使い方で使い勝手のよい温水器を提供する。  【解決手段】  湯切れ沸き上げ制御手段が残湯量検出手段８で検出した残湯量レベルが判定値を下回ったら、少なくとも残湯量が判定値以上になるまで沸き上げ手段４〜７を介してタンク内の水を沸き上げるとともに、残湯レベル設定手段が時刻やふろ湯張りをしたかどうか等の条件により、常時その時点の必要湯量を判断し、前記湯切れ沸き上げ制御手段の判定値を切り替えるようにしたものである。【選択図】  図１
2005076940.tif 000002
【特許請求の範囲】
【請求項１】
給水配管及び給湯配管が接続されたタンクと、前記タンク内の水を下部から上部に供給しながら積層状態で湯を沸かす沸き上げ手段と、前記タンク内の残湯量を検出する残湯量検出手段と、外部からの要求で所定温度及び所定量の条件で湯張り動作を行うふろ給湯手段と、時刻をカウントするとともに電力料金契約に従って深夜時間帯と昼間時間帯を管理する計時手段と、前記計時手段により深夜時間帯のとき所定のピークシフトを行った後前記沸き上げ手段を介して前記タンク内の水を全量沸き上げる全量沸き上げ制御手段と、前記残湯量検出手段で検出した残湯量が判定値を下回ったら、少なくとも残湯量が判定値以上になるまで前記沸き上げ手段でタンク内の水を沸き上げる湯切れ沸き上げ制御手段と、前記湯切れ沸き上げ制御手段の判定値を切り替える残湯レベル設定手段とからなる貯湯式給湯装置。
【請求項２】
残湯レベル設定手段は、全量沸き上げ制御手段が全量沸上を行ってからふろ給湯手段が湯張り動作を行うまでの第１の期間を第１の判定値、前記第１の期間終点から全量沸き上げ制御手段が全量沸上を行うまでの第２の期間を第２の判定値とし、第１の判定値を第２の判定値より多く設定するようにした請求項１記載の貯湯式給湯装置。
【請求項３】
残湯レベル設定手段は、全量沸き上げ制御手段が全量沸上を行ってから計時手段により計時される切り替え時刻までの第１の期間を第１の判定値、前記第１の期間終点から全量沸き上げ制御手段が全量沸上を行うまでの第２の期間を第２の判定値とし、第１の判定値を第２の判定値より多く設定するようにした請求項１記載の貯湯式給湯装置。
【請求項４】
残湯レベル設定手段は、全量沸き上げ制御手段が全量沸上を行ってからふろ給湯手段が湯張り動作を行うまで、または計時手段により計時される切り替え時刻までの短い方の第１の期間を第１の判定値、前記第１の期間終点から全量沸き上げ制御手段が全量沸上を行うまでの第２の期間を第２の判定値とし、第１の判定値を第２の判定値より多く設定するようにした請求項１記載の貯湯式給湯装置。
【請求項５】
残湯レベル設定手段の第１の判定値と第２の判定値を変更できるようにした請求項２〜４のいずれか１項記載の貯湯式給湯装置。
【請求項６】
残湯レベル設定手段の切り替え時刻を変更できるようにした請求項３または４記載の貯湯式給湯装置。
【発明の詳細な説明】
【技術分野】
【０００１】
本発明は、安価な深夜電力を利用して電気ヒータやヒートポンプによりお湯を沸かしタンクに貯湯し、必要に応じてカランや浴槽に給湯する貯湯式給湯装置で、特に、沸かしたお湯をタンク上部より積層状態で貯湯する貯湯式給湯装置に関するものである。
【背景技術】
【０００２】
従来、この種の貯湯式給湯装置は図９に示すように、貯湯タンク２９と、前記貯湯タンク２９の外部に設けた加熱装置３２と、前記貯湯タンク２９の下部より取り出した水を前記加熱装置３２に導く導水管３０と、前記導水管３０の途中に設けた水循環手段３１と、前記加熱装置３２の出口より取り出した湯を前記貯湯タンク２９の上部に戻す導湯管３４と、前記加熱装置３２の出口近傍に設けた湯温検出手段３３と、前記加熱装置３２および水循環手段３１の制御を行う制御装置３５とを備え、前記制御装置３５は前記加熱装置３２および水循環手段３１を駆動して前記貯湯タンク２９の水を上部より加熱し、前記湯温検出手段３３が所定温度を検出した時点で前記貯湯タンク全量の沸き上がりを検出し、前記加熱装置３２および水循環手段３１を停止する沸き上げ制御部３６と、所定時間毎に前記水循環手段３１を駆動するタイマー部３７と、前記湯温検出手段３３で検出した湯温が低下しておれば再び前記加熱装置を駆動して沸き上げ動作を行う再沸き上げ制御部３８とを備えたものである。
【０００３】
そして上記タイマー部３７が所定時間毎に前記水循環手段３１を駆動して、湯温検出手段３３が湯温低下を検出したら再び前記加熱装置を駆動して沸き上げ動作を行い、湯ぎれを防止するようにようになっていた（例えば、特許文献１参照）。
【０００４】
また図１０に示すように、水を貯めておく貯湯槽４０と、この貯湯槽４０内の水を加熱昇温するために、該貯湯槽の上部と下部に取り付けられた発熱体４１、４２を有し、一定時間毎に電源供給の有無を検知する電源供給検知手段と、時間を計時する計時手段と、この計時手段が２４時間を計時する間に上記電源供給検知手段が検知した電源供給有りの回数をカウントし、この数値から供給される電力制度を判定する電力制度判定手段とを備え制御部４５により、上記電力制度判定手段が昼間に沸き増し可能な電力制度であると判定したときに、上記上部発熱体４１のみを使用した上部沸き増しを自動設定するようし、電力制度判定手段が初めて昼間に沸き増し可能な電力制度であると判定したときだけ、上記上部発熱体４１のみを使用した上部沸き増しを自動設定するようにした。
【０００５】
そして電気温水器自身が電力制度を判定し、昼間沸き増し可能な電力制度のときに、上部沸き増しの設定を自動的に行うため、利用者の設定忘れをなくして湯切れを防ぐようになっていた（例えば、特許文献２参照）。
【特許文献１】特開平０８−０７５２５０号公報
【特許文献２】特開平１１−２２３３８６号公報
【発明の開示】
【発明が解決しようとする課題】
【０００６】
しかしながら上記従来の貯湯式給湯装置では、残湯量が所定量以下になったら追加沸き上げをするようになっているので、追加沸き上げをする判定値が少なめに設定されているものにおいては、お風呂を沸かすまでにお湯を使いすぎて残湯量が少なくなっている場合、一度に大量のお湯を使用するふろ湯張り等を行うと、沸上が追いつかず、湯張りの途中で湯切れになってしまうという課題があった。
【０００７】
また、湯切れを起こさないために判定値を多めに設定されているものでは風呂に湯張りした後、それほど大量にお湯が必要ない状況になっても残湯レベルが多めに設定された判定値を下回ると、高価な昼間電力を使って不必要なお湯を沸かしてしまうという課題があった。
【課題を解決するための手段】
【０００８】
本発明は上記課題を解決するため、湯切れ沸き上げ制御手段が残湯量検出手段で検出した残湯量レベルが判定値を下回ったら、少なくとも残湯量が判定値以上になるまで沸き上げ手段を介してタンク内の水を沸き上げるとともに、残湯レベル設定手段が時刻やふろ湯張りをしたかどうか等の条件により、常時その時点の必要湯量を判断し、前記湯切れ沸き上げ制御手段の判定値を切り替えるようにしたものである。
【０００９】
上記発明によれば、残湯レベル設定手段が一度に大量のお湯を使用するふろ湯張り前にお湯を使いすぎても、湯切れ沸き上げ判定値を多めに設定するのでふろ湯張りで湯切れになることを防止することができる。
【００１０】
また、ふろ湯張りが終わったら湯切れ沸き上げ判定値を少なめに設定するので、お湯を使う予定がないのに高価な昼間電力を使って無駄にお湯を沸かすという無駄を省くことができる。
【発明の効果】
【００１１】
以上のように本発明の貯湯式給湯装置は、残湯レベル設定手段が時間経過、ふろ湯張りの有無、使用者のお湯の使用実績等の条件により湯切れ沸き上げ制御手段が沸き上げを開始する判定値を切り替えるので、ふろ湯張りを終わって大量にお湯を使う予定のない例えば夜の９時から１１時に不必要に高価な電力を使って湯切れ沸き上げが入ることを防止し、ランニングコストを低減した経済的な給湯器を提供できるという効果がある。
【００１２】
さらに、ふろ湯張りがまだの場合は、事前に使いすぎてもふろ湯張りを行えるだけの量を湯切れ沸き上げで確保することで効率的に湯切れを防止することができるので、貯湯タイプの基本的な短所を解決した使い勝手の良い給湯器を提供できるという効果がある。
【００１３】
また、残湯レベル設定手段がふろ湯張りを開始した時点で湯切れ沸き上げの判定値を切り替えるので、非常に簡単な構成で上記同様の効果を得ることができる。
【００１４】
さらに、ふろ湯張りを行ったかどうかで切り替えているので早めにふろ湯張りをする使用者から遅くふろ湯張りをする使用者まで幅広く対応できるという効果もある。
【００１５】
また、残湯レベル設定手段が時刻で湯切れ沸上の判定値を切り替えるので、簡単な構成で貯湯タイプの短所を効果的に抑えるとともに、無駄を省いて効率的な給湯器を提供できるという効果がある。さらに、ふろ湯張りをしない日にも対応できるという効果がある。
【００１６】
また、残湯レベル設定手段がふろ湯張りの有無と時刻で湯切れ沸き上げの判定値を切り替えるので、早めにふろ湯張りをする使用者から遅くふろ湯張りをする使用者まで幅広く対応でき、さらにふろ湯張りをしない日にも対応できるという効果がある。
【００１７】
また、残湯レベル設定手段で切り替える第１の判定値と第２の判定値をそれぞれ個別に変更できるので、湯張り終了後は湯切れしてもいいから昼間電力を使った湯切れ沸き上げはしたくないという使用者への対応、浴槽が大きく湯張り前はさらに多めの湯量確保が必要な使用者への対応ができ、より多くの使用パターンで効果を発揮することができる。
【００１８】
また、残湯レベル設定手段の切り替え時刻を変更できるようにしたので、ふろ湯張りの時間が通常とずれている使用者にも幅広く対応することができ、より多くの使用パターンで効果を発揮することができる。
【発明を実施するための最良の形態】
【００１９】
請求項１記載の貯湯式給湯装置は、給水配管及び給湯配管が接続されたタンクと、前記タンク内の水を下部から上部に供給しながら積層状態で湯を沸かす沸き上げ手段と、前記タンク内の残湯量を検出する残湯量検出手段と、外部からの要求で所定温度及び所定量の条件で湯張り動作を行うふろ給湯手段と、時刻をカウントするとともに電力料金契約に従って深夜時間帯と昼間時間帯を管理する計時手段と、前記計時手段により深夜時間帯のとき所定のピークシフトを行った後前記沸き上げ手段を介して前記タンク内の水を全量沸き上げる全量沸き上げ制御手段と、前記残湯量検出手段で検出した残湯量が判定値を下回ったら、少なくとも残湯量が判定値以上になるまで前記沸き上げ手段でタンク内の水を沸き上げる湯切れ沸き上げ制御手段と、前記湯切れ沸き上げ制御手段の判定値を切り替える残湯レベル設定手段を有することを特徴とするものである。
【００２０】
そして、残湯レベル設定手段が時間経過やふろ湯張りの有無の条件により、湯切れ沸き上げ制御手段が沸き上げを開始する判定値を切り替えるので、ふろ湯張りを終わって大量にお湯を使う予定のない、例えば、夜間９時から１１時に不必要に高価な電力を使って湯切れ沸き上げが入ることを防止するとともに、ふろ湯張りがまだの場合は、ふろ湯張りを行えるだけの量を湯切れ沸き上げで確保することで効率的に湯切れを防止することができる。
【００２１】
請求項２に記載の貯湯式給湯装置は、残湯レベル設定手段が前記全量沸き上げ制御手段の全量沸上から前記ふろ給湯手段のふろ湯張りまでの第１の期間を第１の判定値、前記第１の期間終点から前記全量沸き上げ制御手段の全量沸上までの第２の期間を第２の判定値とし、第１の判定値を第２の判定値より多く設定するようにしたことを特徴とするものである。
【００２２】
そして、残湯レベル設定手段がふろ湯張りをするまでは湯切れ沸き上げの判定値を多く設定するので、ふろ湯張りまでにお湯を使いすぎても湯切れ沸き上げによってふろ湯張りに十分なお湯が確保されているのでふろ湯張りで湯切れになることを防止することができる。
【００２３】
また、ふろ湯張りが終わった後は残湯レベル設定手段が湯切れ沸き上げの判定値を少なく設定するので、必要以上に高価な昼間電力を使用してお湯を沸かすことがないので無駄を省くことができる。
【００２４】
請求項３に記載の貯湯式給湯装置は、残湯レベル設定手段が全量沸き上げ制御手段の全量沸上から前記計時手段により計時される切り替え時刻までの第１の期間を第１の判定値、前記第１の期間終点から前記全量沸き上げ制御手段の全量沸上までの第２の期間を第２の判定値とし、第１の判定値を第２の判定値より多く設定するようにしたことを特徴とするものである。
【００２５】
そして、残湯レベル設定手段が一般的にふろ湯張りが終了している時刻に湯切れ沸き上げの判定値を切り替えるので、請求項２と同様に、ふろ湯張りで湯切れになることを防止するとともに、必要以上に高価な昼間電力を使用してお湯を沸かすことがないので無駄を省くことができる。
【００２６】
さらに、計時手段により計時される切り替え時刻により湯切れ沸き上げの判定値を切り替えるので、ふろ湯張りを行わない場合も必要以上に湯切れ沸き上げを行う無駄を省くことができる。
【００２７】
請求項４に記載の貯湯式給湯装置は、残湯レベル設定手段が前記全量沸き上げ制御手段の全量沸上から前記ふろ給湯手段のふろ湯張りまで、または前記計時手段により計時される切り替え時刻までの短い方の第１の期間を第１の判定値、前記第１の期間終点から前記全量沸き上げ制御手段の全量沸上までの第２期間を第２の判定値とし、第１の判定値を第２の判定値より多く設定するようにしたことを特徴とするものである。
【００２８】
そして、残湯レベル設定手段がふろ湯張りをするまでは湯切れ沸き上げの判定値を多く設定するので、ふろ湯張りまでにお湯を使いすぎても湯切れ沸き上げによってふろ湯張りに十分なお湯が確保されているので、ふろ湯張りで湯切れになることを防止することができる。
【００２９】
また、ふろ湯張りが終わった後は残湯レベル設定手段が湯切れ沸き上げの判定値を少なく設定するので、必要以上に高価な昼間電力を使用してお湯を沸かすことがないので無駄を省くことができる。
【００３０】
さらに、計時手段により計時される切り替え時刻によっても湯切れ沸き上げの判定値を切り替えるので、ふろ湯張りを行わない場合も必要以上に湯切れ沸き上げを行う無駄を省くことができる。
【００３１】
また、切り替え時刻前でもふろ湯張りを行ったらその時点で湯切れ沸き上げ判定値を少なく設定するのでさらに無駄を省くことができる。
【００３２】
請求項５に記載の貯湯式給湯装置は、残湯レベル設定手段の第１の判定値と第２の判定値を変更できるようにしたことを特徴とするものである。
【００３３】
そのため、経済性を重視する使用者から、湯切れを起こさない便利性を重視する使用者まで柔軟に対応することができる。
【００３４】
請求項６に記載の貯湯式給湯装置は、残湯レベル設定手段の切り替え時刻を変更できるようにしたことを特徴とするものである。
【００３５】
そのため、ふろ湯張りの時間が通常とずれている使用者にも幅広く対応することができる。
【実施例】
【００３６】
以下、本発明の実施例について図面を用いて説明する。
【００３７】
（実施例１）
図１は本発明の実施例１の貯湯式給湯装置の本体構成図、図２は同貯湯式給湯装置の沸き上げ制御の方法を示すフローチャート、図３は同貯湯式給湯装置の残湯量と沸き上げのタイミングを示すタイムチャートで、（ａ）は残湯量の状態を示し、（ｂ）は使用パターンを示すタイムチャート、（ｃ）は沸き上げパターンを示すタイムチャートである。
【００３８】
図１において、１はお湯を貯湯するタンク、２はタンクに水を供給する給水配管、３はタンクに貯湯されたお湯を給湯する給湯配管である。
【００３９】
４は沸き上げヒーター、５は沸き上げサーミスター、６は積層ポンプ、７は積層循環配管で、これら４〜７で沸き上げ手段を構成している。
【００４０】
８ばタンク１内の残湯量レベルを検出する残湯量検出手段で３つの温度センサで構成され、検出温度が４５℃以下になったことで残湯量がそれぞれの判定量以下になったことを検出する。残湯量の判定量は上から５０Ｌ、１００Ｌ、１５０Ｌとなっている。
【００４１】
９は湯水混合弁、１０は出湯サーミスタ、１１はふろ給湯弁、１２はふろ給湯配管、１３はふろ循環配管、１４は圧力で水位を検出する水位センサ、１５はふろ循環ポンプ、１６はふろ温度サーミスター、１７は循環通水ＳＷ、１８はふろ保温ヒーターで、これら９〜１８でふろ給湯手段を構成している。
【００４２】
時刻をカウントするとともに時間帯を管理する計時手段、深夜時間帯にピークシフトの後タンク１内のお湯を全量沸き上げる全量沸き上げ制御手段、残湯量が判定値を下回ったとき沸き上げを行う湯切れ沸き上げ制御手段、条件によって湯切れ沸き上げ判定値を切り替える残湯レベル設定手段はソフト的に実現されている。
【００４３】
次に動作、作用について説明する。
【００４４】
まず、沸き上げは沸き上げヒーター４に給電し、沸き上げサーミスター５でタンク上部が９０℃になったことを検出したら積層ポンプ６を駆動し、積層循環配管７を介してタンク下部の水をタンク上部に汲み上げる。積層循環配管７の出口は汲み上げられた水がタンク上部全体に拡散するようになっている。タンク上部の温度が８８℃に低下したら積層ポンプ６の駆動を停止する。
【００４５】
上記動作を繰り返すことにより、タンク１上部より約９０℃のお湯が積層状態で沸き上がるようになっている。また、積層ポンプ６を駆動してもタンク１上部温度が低下せず９２℃を検出したら全量沸上を検出し、沸き上げヒータ４への給電を停止する。
【００４６】
次に、ふろ湯張りはふろ給湯弁１１を開にして、湯水混合弁９を制御して出湯サーミスター１０の温度がリモコン等で設定されたふろ設定温度になるようして、浴槽１９へ給湯する。
【００４７】
ふろ給湯１０リットル毎にふろ給湯を中断して、ふろ循環ポンプ１５を駆動し循環通水ＳＷで循環通水の有無を検出して、水位が浴槽１９の循環アダプター２０に達したかを検出する。
【００４８】
循環アダプター２０まで水位が達したことを検出したら、３０リットルのふろ給湯を行い循環アダプター２０を完全に水没させる。
【００４９】
ふろ循環ポンプ１５を６０秒間駆動してふろ循環配管１３内のエアパージをした後ふろ循環ポンプ１５を停止し、１５秒後水位センサ１４で水位データを検出し、この水位データをもとに、リモコン等で設定されたふろ設定水位に湯張りするための湯張り時間を演算する。このときに用いる基準水位データ、浴槽の大きさ係数データは本装置設置時に行う試運転で検出する。試運転の詳細については本発明に直接関係ないので説明を省略する。
【００５０】
演算した湯張り時間だけふろ給湯を行い、浴槽１９へ設定されたふろ設定温度、ふろ設定水位で湯張りを行うようになっている。
【００５１】
次に図２を用いて、タンク１内のお湯の沸き上げ方法について説明する。まず、Ｓ１で時間帯を判断する。ここで判断する時間帯とは電力会社と取り交わしている電力料金契約に従って決められている切り替え時刻を基準に電気料金の安価な深夜時間帯と電気料金の割高な昼間時間帯を示している。この時間帯は時刻をカウントしている計時手段が管理している。
【００５２】
一般的に時間帯別電灯料金制度では、夜の２３時から朝の７時までが深夜時間帯、朝の７時から夜の２３時までが昼間時間帯となっている。この他、前記内容をベースとして時間帯の切り替え時刻を変えたプラン、季節要素を入れたプラン等が各電力会社より提供されている。
【００５３】
Ｓ１で深夜時間帯と判断された場合、Ｓ２でピークシフト中がどうかを判断する。ピークシフトとは電力会社との契約で決められた所定条件で深夜の全量沸き上げ開始時間を遅延させることをいい、このピークシフト時間についても前記計時手段によって管理されている。
【００５４】
Ｓ２でピークシフトが終了していたら、Ｓ３で全量沸き上げが起動され、タンク１内の水が全量約９０℃まで沸き上げられる。さらにＳ４で湯張り済フラグがＯＦＦされる。この湯張り済フラグはふろ給湯手段によってふろ湯張りを開始した時点でＯＮされる。
【００５５】
つぎに、Ｓ１、Ｓ２で昼間時間帯および深夜時間帯でピークシフト中と判断された場合はＳ５で湯張り済フラグをチェックする。湯張り済フラグがＯＦＦのとき、つまり、ふろ湯張りをまだ行っていない場合は、Ｓ６で湯切れ沸き上げの判定値を１５０リットルに設定する。また湯張り済フラグがＯＮのとき、つまり、ふろ湯張り行った後は、Ｓ６で湯切れ沸き上げの判定値を５０リットルに設定する。Ｓ５〜Ｓ７の処理で残湯レベル設定手段を実現している。
【００５６】
Ｓ８で残湯量検出手段８で検出した残湯量とＳ６、Ｓ７で設定した判定値とを比較して、残湯量が判定値より少なくなったらＳ９で沸き上げ手段を起動して湯切れ沸き上げを行う。また、残湯量が判定値より多くなったらＳ１０で沸き上げ手段を停止し湯切れ沸き上げを終了する。Ｓ８〜Ｓ１０の処理で湯切れ沸き上げ制御手段を実現している。
【００５７】
図３（ｂ）に示した昼間時間帯のお湯の使用パターンと、同（ｃ）に示した湯切れ沸き上げパターンのタイムチャートのように、ふろ湯張りを行う前にお湯を使いすぎても、（ａ）に示すように１５０リットルが確保されるので、大量のふろ湯張りを行うとき、湯切れになることを防止することができる。
【００５８】
また、ふろ湯張りを開始した時点で湯切れ沸き上げ判定値を５０リットルに切り換えるので、大量にお湯を使用する予定のないふろ湯張りの後無駄に高価な昼間電力を使って湯切れ沸き上げをすることがない。
【００５９】
（実施例２）
図４は本発明の実施例２の貯湯式給湯装置の動作を示すフローチャートである。
【００６０】
本実施例２において、実施例１と異なる点は残湯レベル設定手段の構成で、実施例１と同様、ソフト的に実現している。
【００６１】
なお、残湯レベル設定手段以外の構成は実施例１と同様なので説明は省略する。また、ソフト的に実現している計時手段、全量沸き上げ制御手段、湯切れ沸き上げ制御手段についても実施例１と同じであるので説明を省略する。
【００６２】
図４を用いて残湯レベル設定手段の動作と作用を説明する。Ｓ１１、Ｓ１２で昼間時間帯および深夜時間帯のピークシフト中と判断されたときＳ１４で計時手段でカウントしている時刻をチェックし、時刻が１８時前であればＳ１５で湯切れ沸き上げ判定値を１５０リットル、１８時以降であればＳ１６で湯切れ沸き上げ判定値を５０リットルに設定するようになっている。
【００６３】
このことにより湯張りを行う時間帯まで１５０リットルのお湯が確保されるので一度に大量にお湯を使用するふろ湯張りで湯切れになることを防止することができる。１８時以降は湯切れ沸き上げ判定値が５０リットルに切り替わるのでふろ湯張り以降の大量にお湯を使用する予定のない時間帯に無駄に昼間電力を使って沸き上げることを防止することができる。
【００６４】
また、湯張りを行わずシャワー等を使用した場合にも湯切れ沸き上げ判定値が５０リットルに切り替わるので、ふろ湯張りを行わない場合にも無駄を省くことができる。
【００６５】
（実施例３）
図５は本発明の実施例３の貯湯式給湯装置の動作を示すフローチャートである。
【００６６】
本実施例３において、実施例１と異なる点は残湯レベル設定手段の構成で、実施例１と同様、ソフト的に実現している。
【００６７】
なお、残湯レベル設定手段以外の構成は実施例１と同様なので説明は省略する。
【００６８】
また、ソフト的に実現している計時手段、全量沸き上げ制御手段、湯切れ沸き上げ制御手段についても実施例１と同じであるので説明を省略する。
【００６９】
図５を用いて残湯レベル設定手段の動作と作用を説明する。Ｓ２１、Ｓ２２で昼間時間帯および深夜時間帯のピークシフト中と判断されたとき、まずＳ２５で計時手段でカウントしている時刻をチェックし、時刻が１８時以降であればＳ２８５で湯切れ沸き上げ判定値を５０リットルに設定する。つぎに１８時前であればＳ２６湯張りがあったがどうかをチェックし、湯張り済フラグで湯張りがあったことを検出したらＳ２８で湯切れ沸き上げ判定値を５０リットルに設定する。Ｓ２６で湯張りがまだの場合Ｓ２７で湯切れ沸き上げ判定値を５０リットルに設定するようになっている。
【００７０】
このことにより湯張りを行うまで１５０リットルのお湯が確保されるので一度に大量にお湯を使用するふろ湯張りで湯切れになることを防止することができる。また、湯張り済みまたは１８時以降は湯切れ沸き上げ判定値が５０リットルに切り替わるのでふろ湯張り以降の大量にお湯を使用する予定のない時間帯に無駄に昼間電力を使って沸き上げることを防止することができる。
【００７１】
また、湯張りを行わずシャワー等を使用した場合にも湯切れ沸き上げ判定値が５０リットルに切り替わるので、ふろ湯張りを行わない場合にも無駄を省くことができる。
【００７２】
さらに、１８時前にふろ湯張りをしたらその時点で湯切れ沸き上げ判定値が５０リットルに切り替わるので早めに湯張りを行う使用者の場合、さらに無駄を省くことができる。
【００７３】
（実施例４）
図６は本発明の実施例４の貯湯式給湯装置の動作を示すフローチャート、図７は同貯湯式給湯装置のリモコン外観図、図８は同貯湯式給湯装置のリモコン操作時の動作を説明するチャートである。本実施例４において、実施例１と異なる点は湯切れ沸き上げ制御手段と残湯レベル設定手段の構成で、実施例１と同様ソフト的に実現している。
【００７４】
まず、図６を使ってタンク１内のお湯の沸き上げ方法について説明する。
【００７５】
Ｓ３１、Ｓ３２で深夜時間帯でピークシフト終了と判断された時に実施例１と同様にＳ３３で全量沸き上げを行い、Ｓ３４で湯張り済フラグをＯＦＦする。また、湯張り済フラグがふろ湯張り時にＯＮされるのも実施例１と同じである。
【００７６】
Ｓ３１で昼間時間帯と判断された時およびＳ３２で深夜時間帯のピークシフト中と判断された時はＳ３５でその時の時刻が切り換え判定値である設定３以降かどうかを判定する。設定３以降のときはＳ３９で湯切れ沸き上げ判定値に設定２をセットする。
【００７７】
Ｓ３５でその時の時刻が設定３より前であると判断された場合はＳ３６で湯張り連動のＯＮ／ＯＦＦをチェックする。湯張り連動がＯＮしている場合はＳ３７で湯張り済フラグをチェックし、ＯＮを検出すればＳ３９で湯切れ沸き上げ判定値に設定２、ＯＦＦを検出すればＳ３８で湯切れ沸き上げ判定値に設定１をセットする。また、Ｓ３６で湯張り連動がＯＦＦになっている場合はＳ３７のチェックを飛ばしてＳ３８で湯切れ沸き上げ判定値に設定１をセットする。
【００７８】
つまり、湯張り連動ＯＦＦの場合は時刻が設定３の前後で湯切れ沸き上げ判定値に設定１と設定２をそれぞれセットする。
【００７９】
湯張り連動ＯＮの場合は時刻が設定３の前かつふろ湯張りがまだのとき湯切れ沸き上げ判定値に設定１をセットし、それ以外のとき設定２をセットするようになっている。Ｓ３５〜Ｓ３９で残湯レベル設定手段を構成している。
【００８０】
そして湯張り連度ＯＮ／ＯＦＦ、湯切れ沸き上げ判定値にセットする設定１、設定２、Ｓ３５で切り替え判定時刻として使用する設定３はリモコンの操作で変更できるようになっている。
【００８１】
Ｓ４０〜Ｓ４２で構成している湯切れ沸き上げ制御手段は実施例１の貯湯式給湯装置と同じなので説明を省略する。
【００８２】
つぎに、リモコンについて図７を用いて説明する。リモコンは貯湯式給湯装置の操作部として構成され、残湯レベル設定手段の一部を構成している。
【００８３】
まず、２１が湯切れ沸き上げ判定値関連の設定を表示している残湯量設定表示、２２が湯張り連動設定のＯＮ／ＯＦＦを表示する湯張り連動表示、２３がタンク１内の残湯量を表示する残湯量表示である。
【００８４】
２４はふろ湯張りを起動するふろ自動ＳＷ、２５はふろ自動運転中であることを表示するふろ自動表示である。
【００８５】
２６は各種設定をおこなうメニューを切り換えるメニューＳＷ、２７は各種設定メニューで設定する値を切り換えるアップ／ダウンＳＷ、２８は設定変更した値を設定値として登録する確定ＳＷである。
【００８６】
各種設定値の設定はまずメニューＳＷを押して、設定メニューを切り換える。このとき、設定１変更メニュー、設定２変更メニュー、設定３変更メニュー、湯張り連動設定メニューを含め、給湯温度設定、時計時刻設定等のメニューが順次表示される。
【００８７】
設定１の変更をしたい場合は上記メニューＳＷを押して、設定１変更メニューになった状態でアップ／ダウンＳＷを押して表示されているレベルを変更する。この状態で確定ＳＷを押すと変更した値が設定１の値として新たに登録される。
【００８８】
確定ＳＷの変わりにメニューＳＷを押すと、変更した値が登録されるとともに次の設定メニューに切り替わるので続けて複数の設定を変更することができる。
【００８９】
次に図８で、設定１の変更、設定２の変更、設定３の変更、湯張り連動設定の変更について詳しく説明する。図８は各設定メニュー及び各設定値でのリモコンの残湯量設定表示を示している。
【００９０】
まず、メニューＳＷを押して設定１変更メニューを出す。残湯量設定表示にはその時の設定が表示されていてアップ／ダウンＳＷを操作すると切り換え時刻の前のゾーンのレベルが０Ｌ〜１５０Ｌまで変更することができる。図８の設定１変更では切り換え時刻は１９時、設定２は０Ｌで、設定１を０Ｌから１５０Ｌまで変更している場合を示している。また０Ｌに設定すると湯切れ沸き上げを行わない。
【００９１】
さらに、設定２を変更する場合はメニューＳＷを押して設定２変更メニューを出し、アップ／ダウンＳＷを操作して切り換え時刻より後のゾーンのレベルを変更する。図８の設定２変更メニューは切り換え時刻が１９時、設定１が１５０Ｌで、設定２を０Ｌから１５０Ｌまで変更している場合を示している。
【００９２】
さらに設定３の切り換え時刻を変更する場合はメニューＳＷを押して設定３変更メニューを出してアップ／ダウンＳＷを操作する。すると切り換え時刻を１７時、１９時、２１時と３段階に切り換えられるようになっている。図８では設定１が１５０Ｌ、設定２が５０Ｌで、設定３を１７時、１９時、２１時に切り換える場合を示している。
【００９３】
さらに、湯張り連動設定を行う場合はメニューＳＷを押して湯張り連動メニューをだし、アップ／ダウンＳＷを押して連動ＯＮ／ＯＦＦを切り換える。表示には連動ＯＮのとき「湯張り連動」が点灯し、連動ＯＦＦのとき「湯張り連動」が消灯するようになっている。
【００９４】
このことにより実施例１〜３同様、湯張りを行うまでは十分な量のお湯が確保されるので一度に大量にお湯を使用するふろ湯張りで湯切れになることを防止することができる。また、湯張り開始以降は湯切れ沸き上げ判定値が少量の設定に切り替わるのでふろ湯張り以降の大量にお湯を使用する予定のない時間帯に無駄に昼間電力を使って沸き上げることを防止することができる。
【００９５】
また、実施例２、３同様、湯張りを行わずシャワー等を使用した場合にも湯切れ沸き上げ判定値が少量の設定に切り替わるので、ふろ湯張りを行わない場合にも無駄を省くことができる。
【００９６】
さらに、実施例３同様に、切り換え判定時刻前にふろ湯張りをしたらその時点で湯切れ沸き上げ判定値が少量の設定に切り替わるので早めに湯張りを行う使用者の場合、さらに無駄を省くことができる。
【００９７】
さらに、湯張りの有無を判定条件にするのかどうか、切り換え判定時刻、切り換え前の湯切れ沸き上げ判定値、切り換え後の湯切れ沸き上げ判定値をそれぞれ変更できるので、使用している浴槽の大きさや使用者の生活パターンに合わせて幅広く対応できる。
【００９８】
また、湯切れになっても高価な昼間電力は使用したくないという場合も設定１、設定２を０Ｌに設定することで昼間電力を使う湯切れ沸き上げを行わないようにできる。
【００９９】
なお、前記各実施例において、沸き上げ手段はタンク１内に沸き上げヒーター４を内蔵する内部積層沸き上げの構成を示したが、積層ポンプ６と積層循環配管７で構成される循環経路にヒーターやヒートポンプユニット等の加熱手段を介在させた外部積層沸き上げの構成を採ることもできるものである。
【０１００】
また、実施例４で切り換え判定時刻を１７時、１９時、２１時と３段階に切り換える方法を示したが、時刻表示を使って時刻そのものを設定する方法もある。
【０１０１】
残湯量設定を切り換えるゾーンについても２つのゾーンに限定するものではなく、使用者の生活パターンに合わせ昼間時間帯を１時間単位に区切って残湯量設定をしたり、設定の利便性を向上するために使用者の過去７日間の使用湯量パターンをもとに各ゾーンの残湯量設定を自動設定するという方法も考えられる。
【図面の簡単な説明】
【０１０２】
【図１】本発明の実施例１の貯湯式給湯装置の本体構成図
【図２】同貯湯式給湯装置の沸き上げ制御の方法を示すフローチャート
【図３】同貯湯式給湯装置の残湯量と沸き上げのタイミングを示すタイムチャート
【図４】本発明の実施例２の貯湯式給湯装置の動作を示すフローチャート
【図５】本発明の実施例３の貯湯式給湯装置の動作を示すフローチャート
【図６】本発明の実施例４の貯湯式給湯装置の動作を示すフローチャート
【図７】同貯湯式給湯装置のリモコン外観図
【図８】同貯湯式給湯装置のリモコン操作時の動作を説明するチャート
【図９】従来の貯湯式給湯装置の機能ブロック図
【図１０】従来の貯湯式給湯装置の機能ブロック図
【符号の説明】
【０１０３】
１  タンク
２  給水配管
３  給湯配管
４  沸き上げヒーター
５  沸き上げサーミスター
６  積層ポンプ
７  積層循環配管
４〜７  沸き上げ手段
８  残湯量検出手段
９  湯水混合弁
１０  出湯サーミスター
１１  ふろ給湯弁
１２  ふろ給湯配管
１３  ふろ循環配管
１４  水位センサ
１５  ふろ循環ポンプ
１６  ふろ温度サーミスター
１７  循環通水ＳＷ
１８  ふろ保温ヒーター
９〜１８  ふろ給湯手段
１９  浴槽
２０  循環アダプター
２１  残湯量設定表示
２２  湯張り連動表示
２３  残湯量表示
２４  ふろ自動ＳＷ
２５  ふろ自動表示
２６  メニューＳＷ
２７  アップ／ダウンＳＷ
２８  確定ＳＷ
【図１】
2005076940.tif 000003
【図２】
2005076940.tif 000004
【図３】
2005076940.tif 000005
【図４】
2005076940.tif 000006
【図５】
2005076940.tif 000007
【図６】
2005076940.tif 000008
【図７】
2005076940.tif 000009
【図８】
2005076940.tif 000010
【図９】
2005076940.tif 000011
【図１０】
2005076940.tif 000012